(57)【要約】      （修正有）【課題】取付金具へオーニングや簾の揺れによる負荷を軽減できる日除け取付具を提供する。【解決手段】フック支持枠部１を、短円筒体１１を横向にして取付具本体３の前方に連設して、短円筒体１１の前方半円筒部１１ａに全周に亘ってフック２の首部２１が通過できるが頭部２２は通過できない長孔１２を設けるとともに、長孔１２にフック２の頭部２２の従断面と同一形状の拡大孔部１２ａを連設して形成して、取付具本体３の後端３１に設けた浅溝部３２に取付金具４を嵌合したうえ取付金具４の前側板部４２の中央を止めねじ４４により取付具本体３の後端に固定し、また、前側板部４２に貫通させたねじ孔に前側板部４２の外面から雄ねじを螺合させて雄ねじの先端と取付金具４の後側板部４３との間にサッシ枠を挟持する。【選択図】図５
0003190032.tif 000002
【実用新案登録請求の範囲】
【請求項１】
フックを搖動自在に支持するフック支持枠を前方に連設した取付具本体の後端にサッシ枠に固定する取付金具を取り付けた日除け取付具であって、
前記フック支持枠部は、短円筒体を横向にして前記取付具本体の前方に連設して、該短円筒体の前方半円筒部に全周に亘ってフックの首部が通過できるが頭部は通過できない長孔を設けるとともに、該長孔に前記フックの頭部の従断面と同一形状の拡大孔部を連設してなり、
また、前記取付金具は底板部の前後側に前側板部と後側板部を立設して、前記前側板部を前記取付具本体の後端に設けた浅溝部に嵌合したうえ該前側板部の中央を止めねじにより前記取付具本体の後端に固定し、また、前記後側板部に前記止めねじの頭部が臨む切欠き部を設けて、また、前記前側板部に貫通させたねじ孔に前側板部の外面から雄ねじを螺合させて該雄ねじの先端と前記後側板部との間に前記サッシ枠を挟持して固定したことを特徴とする日除け取付具。
【請求項２】
前記拡大孔部を前記長孔の頂部に連設した請求項１に記載の日除け取付具。
【請求項３】
前記フックを合成樹脂材よりなるものとして、その頭部の周縁に前記拡大孔部の両側孔部に圧潰される小突起を多数配置した請求項１又は２に記載の日除け取付具。
【考案の詳細な説明】
【技術分野】
【０００１】
本考案は、オーニング、簾等の日除け具を窓等に取り付ける場合に窓のサッシ枠に取り付けて使用する日除け取付具に関するものである。
【背景技術】
【０００２】
前記のような日除け取付具としては、底板部の前後側に前側板部と後側板部を立設した断面Ｕ字状の取付金具の間にサッシ枠を位置させて該取付金具の前側板部に貫通させたねじ孔に雄ねじを螺合させて該雄ねじの先端と後側板部で前記サッシ枠を挟持して、該取付金具をサッシ枠に取り付けて、該取付金具の先端側に設けたフックにオーニングのハトメや簾の上桟を係止するものが知られている（例えば、特許文献１、２及び３を参照。）。
【０００３】
ところが、前記した日除け取付具は、フックが取付金具と略一体的とされているため、オーニングや簾の揺れによる負荷が直接取付金具に掛かるためサッシ枠から外れるという問題がある。また、サッシ枠の上枠に取り付けてオーニングや簾を吊下げて使用するものであるため、オーニングや簾が風により巻き上がったり、バタついたりする問題があった。
【先行技術文献】
【特許文献】
【０００４】
【特許文献１】実開平７−３４７８５号公報
【特許文献２】登録実用新案第３００４４６８号公報
【特許文献３】登録実用新案第３１６０６６２号公報
【考案の概要】
【考案が解決しようとする課題】
【０００５】
本考案は前記のような問題を解決して、取付金具へオーニングや簾の揺れによる負荷を軽減できるうえ、サッシ枠の上枠のみならず下枠にも取り付けでき、オーニングや簾をサッシ枠の上枠と下枠で固定して風により巻き上り、バタつきを防止できる日除け取付具を提供することを目的として完成されたものである。
【課題を解決するための手段】
【０００６】
本考案の日除け取付具は、フックを搖動自在に支持するフック支持枠を前方に連設した取付具本体の後端にサッシ枠に固定する取付金具を取り付けた日除け取付具であって、前記フック支持枠部は、短円筒体を横向にして前記取付具本体の前方に連設して、該短円筒体の前方半円筒部に全周に亘ってフックの首部が通過できるが頭部は通過できない長孔を設けるとともに、該長孔に前記フックの頭部の従断面と同一形状の拡大孔部を連設してなり、また、前記取付金具は底板部の前後側に前側板部と後側板部を立設して、前記前側板部を前記取付具本体の後端に設けた浅溝部に嵌合したうえ該前側板部の中央を止めねじにより前記取付具本体の後端に固定し、前記後側板部に前記止めねじの頭部が臨む切欠き部を設けて、また、前記前側板部に貫通させたねじ孔に前側板部の外面から雄ねじを螺合させて該雄ねじの先端と前記後側板部との間に前記サッシ枠を挟持して固定したことを特徴とするものである。
【０００７】
また、前記拡大孔部を前記長孔の頂部に連設することが好ましい。さらに、前記フックを合成樹脂材よりなるものとして、その頭部の周縁に前記拡大孔部の両側孔部に圧潰される小突起を多数配置したものとすることが好ましい。
【考案の効果】
【０００８】
前記した本考案の日除け取付具は、窓のサッシ枠の上下枠にそれぞれ左右に窓の四隅に位置するように取付金具により固定して取り付けて、各フックに簾の桟やオーニングのハトメを係止して窓にオーニングや簾を取り付ければ、オーニングや簾はサッシ枠の上下枠で固定されているので風による巻き上り、バタつきを防止できるものである。また、フックはフック支持枠に搖動自在に支持されているのでオーニングや簾の揺れによる力はフックの搖動により吸収されるので、取付金具へオーニングや簾の揺れによる負荷を軽減でき、取付金具がサッシ枠から離脱する虞はないものである。
【０００９】
また、フックは、短円筒体を横向にして前記取付具本体の前方に連設したフック支持枠の該短円筒体の前方半円筒部に全周に亘って設けた長孔の両側縁に頭部を係止して該長孔内を長手方向に搖動できるとともに、首をもって長孔内で回動できるものである。さらに、該長孔に前記フックの頭部の従断面と同一形状の拡大孔部を連設しているので、フックをフック支持枠に取り付けるには、フックの頭部が拡大孔部に対して横向きになるようにして押し込めば、フックの頭部は拡大孔部を通過するとともに首部は長孔を通過して該フックは頭部を長孔の両側縁に係止してフック支持枠に取り付けできるものである。また、前記拡大孔部を前記長孔の頂部に連設したものとすれば、該拡大孔部がフックの該長孔内での長手方向の搖動を阻害する虞がないものである。
【００１０】
また、前記取付金具は前側板部を前記取付具本体の後端に設けた浅溝部に嵌合したうえ該前側板部の中央を止めねじにより前記取付具本体の後端に固定しているが、前記後側板部に前記止めねじの頭部を臨ませた切欠き部を設けたものであるから、止めねじを緩めて前側板部の浅溝部への嵌合を外せば取付金具は前記取付具本体に対して上下どちらの方向にも取り付けできるので、サッシ枠の上下枠に的確に取り付けできるものである。
【００１１】
また、前記フックを合成樹脂材よりなるものとして、その頭部の周縁に前記拡大孔部の両側孔部に圧潰される小突起を多数配置したものとすると、フックをフック支持枠に取り付ける際に、該小突起を拡大孔部の両側孔部に圧潰させながら拡大孔部に押し込めば、フックの頭部は拡大孔部を通過した後に該小突起は旧状に復帰してフックの頭部は拡大孔部から外れる虞は全く無いものである。
【図面の簡単な説明】
【００１２】
【図１】本考案の実施形態を示す側面図。
【図２】同じく正面図。
【図３】同じく背面図。
【図４】同じく平面図。
【図５】同じく一部切欠側面。
【図６】同じく態様を異にして示す側面図。
【図７】同じく態様を異にして示す側面図。
【図８】同じく分解して示す斜視図。
【図９】１使用例を示す概略的な正面斜視図。
【考案を実施するための形態】
【００１３】
次に、本考案の好ましい実施の形態を図面に基づき説明する。
１はフック２を搖動自在に支持するフック支持枠であり、該フック支持枠１の前方に連設した取付具本体３の後端に取付金具４を取り付けている。この取付金具４はサッシ枠１００に固定するものである。
【００１４】
具体的には、前記フック支持枠１は、短円筒体１１を横向にして前記取付具本体３の前方に上方に位置するように連設したものであり、該短円筒体１１の前方半円筒部１１ａに全周に亘って前記フック２の首部２１が通過できるが頭部２２は通過できない長孔１２を設けるとともに、該長孔１２に前記フック２の頭部２２の従断面と同一形状の拡大孔部１２ａを設けられている。なお、この拡大孔部１２ａは図示のものは長孔１２の頂部に設けているが、中間であってもよいものである。
【００１５】
また、前記取付金具４は底板部４１の前後側に前側板部４２と後側板部４３を立設して、前記前側板部４２を前記取付具本体３の後端３１に設けた浅溝部３２に嵌合したうえ該前側板部４２の中央を止めねじ４４により前記取付具本体３の後端３１に固定したものである。
【００１６】
また、前記後側板部４３には前記止めねじ４４の頭部４４ａを臨ませる切欠き部４３ａを設けてあり、該切欠き部４３ａを通してドライバー類により前記止めねじ４４の締緩作業を行うことができるものとしている。また、前記前側板部４２の両側に貫通させたねじ孔４２ａ、４２ａに前側板部４２の外側から固定用の雄ねじ５、５を螺合させて該雄ねじ５、５の先端と前記後側板部４３との間に前記サッシ枠１００を挟持して固定するものである。なお、サッシ枠１００と接する前記後側板部４３の内面にはパッキン４５が貼付されており、前記取付金具４のサッシ枠１００の固定を強固なものとしている。
【００１７】
このように構成された日除け取付具は、図９に示すように窓のサッシ枠１００の上下枠にそれぞれ左右に窓の四隅に位置するように取付金具４により固定して、各フック２にオーニング１０１のハトメ１０２を係止して取り付けるものである。なお、簾の桟を係止して取り付けることもできるものである。
【００１８】
前記したようにオーニング１０１や簾はサッシ枠１００の上下枠で固定されているので風による巻き上り、バタつきを防止できるものである。また、フック２はフック支持枠１に搖動自在に支持されているのでオーニングや簾の揺れによる力はフック２の搖動により吸収されるので、取付金具４へのオーニングや簾の揺れによる負荷を軽減でき、取付金具４がサッシ枠１００から離脱する虞はないものである。
【００１９】
また、フック２は、フック支持枠１である短円筒体１１の前方半円筒部に全周に亘って設けた長孔１２の両側縁に頭部２２を係止して該長孔１２内を長手方向に搖動できるとともに、首部２１をもって回動できるものとして、フック支持枠１に支持されているので搖動できる範囲が広いものである。なお、この拡大孔部１２ａは図示ように長孔１２の頂部に設けていれば、該拡大孔部１２がフック２の該長孔１２内での長手方向の搖動を阻害する虞がないものである。
【００２０】
また、フック２は、前記したようにフック支持枠１に首部２１をもって回動できるものとしているので、図６に示すようにフック２の係止方向を変更してオーニングや簾の日除け具を係止できるものである。
【００２１】
さらに、前記長孔１２の頂部に前記フック２の頭部２２の従断面と同一形状の拡大孔部１２ａを連設しているので、フック２をフック支持枠１に取り付けるには、フック２の頭部２２が拡大孔部１２ａに対して横向きになるようにして押し込めば、フック２の頭部２２は拡大孔部１２ａを通過して、また、首部２１は長孔１２を通過して該フック２は頭部２２を長孔１２の両側縁に係止してフック支持枠１に取り付けできるものである。そして、フック２の頭部２２を押し込むと拡大孔部１２ａは頭部２２の従断面と同一形状であるので、使用状態においては頭部２２が拡大孔部１２ａから抜け出る方向を向くことが無いので、フック２がフック支持枠１から外れる虞は無いものである。
【００２２】
また、前記フック２を合成樹脂材よりなるものとして、頭部２２の周縁に前記拡大孔部１２ａの両側縁部１２ｂに圧潰される小突起２２ａを多数配置したものにしてもよい。この場合、該フック２を前記フック支持枠１に取り付ける場合に、強い力で頭部２２を前記拡大孔部１２ａに押し込めば小突起２２ａが拡大孔部１２ａの両側縁部１２ｂに圧潰されて該拡大孔部１２ａを通過して取り付けできるものである。そして、フック２をフック支持枠１に取付け後は小突起２２ａが旧状に復帰して万一頭部２２が拡大孔部１２ａの抜け出る方向を向いても小突起１２ａが拡大孔部１２ａの両側縁部１２ｂに係止して外れる虞は全く無いものである。
【００２３】
また、前記取付金具４は前側板部４２を前記取付具本体３の後端に設けた浅溝部３２に嵌合したうえ該前側板部４２の中央を止めねじ４４により前記取付具本体３の後端に固定し、前記後側板部４３に前記止めねじ４４の頭部を臨ませた切欠き部４３ａを設けたものであるから、止めねじ４４を緩めて前側板部４２の浅溝部３２への嵌合を外せば取付金具４は前記取付具本体３に対して図１、図７に示すように上下どちらの方向にも取り付けできるので、サッシ枠１００の上下枠に的確に取り付けできるものである。
【符号の説明】
【００２４】
１  フック支持枠
11  短円筒体
12  長孔
12a  拡大孔部
２  フック
21  首部
22  頭部
３  取付具本体
31  取付具本体の後端
32  浅溝部
４  取付金具
41  底板部
42  前側板部
42a  ねじ孔
43  後側板部
43a  切欠き部
44  止めねじ
44a  止めねじの頭部
５  雄ねじ
100  サッシ枠
【図１】
0003190032.tif 000003
【図２】
0003190032.tif 000004
【図３】
0003190032.tif 000005
【図４】
0003190032.tif 000006
【図５】
0003190032.tif 000007
【図６】
0003190032.tif 000008
【図７】
0003190032.tif 000009
【図８】
0003190032.tif 000010
【図９】
0003190032.tif 000011